(57)【要約】【課題】本発明は、カートリッジメモリをカートリッジケース内に配置する際の自由度を高くし、電源の供給面での優位さを確保すると共にメモリの大容量化をも可能とする記録媒体カートリッジを提供することを課題とする。【解決手段】カートリッジメモリ９を備えて構成される記録媒体カートリッジＭＣであって、前記カートリッジメモリ９は、ＩＣチップ９ｃとアンテナ９ｂが電気的に接続された状態で別々に構成されるようにする。【選択図】　図２
2004095093.tif 000002
【特許請求の範囲】
【請求項１】
カートリッジメモリを備えて構成される記録媒体カートリッジであって、
前記カートリッジメモリは、ＩＣチップとアンテナが電気的に接続された状態で別々に構成されていることを特徴とする記録媒体カートリッジ。
【請求項２】
前記アンテナは、導電ペーストにより印刷されていることを特徴とする請求項１に記載の記録媒体カートリッジ。
【請求項３】
前記アンテナは、前記カートリッジケースの表面に印刷されていることを特徴とする請求項１又は請求項２に記載の記録媒体カートリッジ。
【発明の詳細な説明】
【０００１】
【発明の属する技術分野】
本発明は、カートリッジメモリを備えた記録媒体カートリッジに関するものである。
【０００２】
【従来の技術】
従来、磁気テープ等の記録媒体を備えた記録媒体カートリッジには、製造者や製造番号等の製造情報や、使用者や使用日時等の使用履歴情報を記憶させるためのカートリッジメモリが備えられている（例えば、特許文献１）。
【０００３】
【特許文献１】
特開２００１−３３２０６４号公報（第２頁、第７、８図）
【０００４】
このようなカートリッジメモリは、図４（ａ）に示すように、記録媒体カートリッジのカートリッジケース１１０内に収納されている。図４（ｂ）に示すように、カートリッジケース１１０内に収納されるカートリッジメモリ１００は、矩形の薄片形状の樹脂製基板１００ａ上にループアンテナ１００ｂとＩＣチップ１００ｃが設けられて形成されている。なお、ＩＣチップ１００ｃは、樹脂からなる封止剤であるグローブトップ１００ｄ内に封止され保護されている。
このようなカートリッジメモリ１００では、ＩＣチップ１００ｃと基板１００ａの上にプリント配線されたループアンテナ１００ｂが電気的に接続されており、記録再生装置に設けられた電磁波送信手段からループアンテナ１００ｂに電磁波を伝播させることにより、磁気テープカートリッジの外部と非接触でデータの授受を行う。また、ＩＣチップ１００ｃを駆動する電源も前記電磁波を伝播させることにより、記録再生装置に設けられた電磁波送信手段から供給される。
【０００５】
【発明が解決しようとする課題】
しかしながら、図４（ａ），（ｂ）に示したような磁気テープカートリッジでは、カートリッジメモリ１００は、磁気テープＭＴの走行の邪魔にならないように、カートリッジケース１１０内の隅に配置されていた。そのため、基板１００ａの大きさは、カートリッジケース１１０の隅に収納される大きさにしなければならず、基板１００ａ上に設けられるループアンテナ１００ｂの大きさも基板１００ａの大きさによって制限されていた。ループアンテナ１００ｂの大きさが制限されると、外部の記録再生装置から供給されるＩＣチップの駆動電源も限られるため、ＩＣチップの大容量化を実現することが困難となる。
【０００６】
そこで、本発明は、ループアンテナの大きさと位置が制限されることなく、ＩＣチップの大容量化と通信性能向上を実現することができる記録媒体カートリッジを提供することを目的とする。
【０００７】
【課題を解決するための手段】
本発明は、前記課題を解決すべく構成されるものであり、請求項１に記載の発明は、カートリッジメモリを備えて構成される記録媒体カートリッジであって、前記カートリッジメモリは、ＩＣチップとアンテナが電気的に接続された状態で別々に構成されていることを特徴とする
【０００８】
請求項１に記載の発明によれば、カートリッジメモリにおいてＩＣチップとアンテナを別々に構成することにより、カートリッジケース内のＩＣチップとアンテナの配置場所に自由度をもたせることができる。また、配置場所によってはアンテナを大きくすることができるため、供給電源を大きくして、大容量のメモリ構成を実現することができる。さらに、記録再生装置の電磁波送信手段の配置位置が制限されていた従来と比較し、記録再生装置における設計の自由度が高まる。
【０００９】
請求項２に記載の発明は、請求項１に記載の発明の構成において、前記アンテナは、導電ペーストにより印刷されていることを特徴とする。
【００１０】
請求項２に記載の発明によれば、アンテナが導電ペーストにより印刷されてなるものであることから、従来のようにカートリッジメモリの基板上に形成する必要はない。そのため、アンテナを大きく構成することができ、より一層の大容量のメモリ構成を実現することができる。
【００１１】
請求項３に記載の発明は、請求項１又は請求項２に記載の発明の構成において、前記アンテナは、前記カートリッジケースの表面に印刷されていることを特徴とする。
【００１２】
請求項３に記載の発明によれば、前記アンテナは、前記カートリッジケースの表面に印刷されることから、印刷作業を容易にすることができる。そのため、記録媒体カートリッジの組立工程を単純化することができる。
なお、「表面」とは、カートリッジケースの外表面、内表面のいずれをも意味するものとする。
【００１３】
【発明の実施の形態】
以下、本発明に係る記録媒体カートリッジの実施の形態を、適宜図面を参照しながら詳細に説明する。なお、本実施の形態では、本発明を磁気テープカートリッジに適用した場合を想定している。
【００１４】
〔第１の実施の形態〕
まず、本発明に係る磁気テープカートリッジの第１の実施の形態を、図１及び図２を参照しながら説明する。参照する図面において、図１は、磁気テープカートリッジの構成を示す分解斜視図である。図２は、図１に示す磁気テープカートリッジの要部を示す拡大斜視図である。
【００１５】
図１に示すように、磁気テープカートリッジＭＣは、下ハーフ１Ａと上ハーフ１Ｂとに分割して構成されたカートリッジケース１の内部に、記録媒体である磁気テープＭＴが巻装された単一のリール２、磁気テープＭＴをカートリッジケース１から引き出すためのリーダピン１０、リール２の回転をロックするためのロックプレート３及び圧縮コイルばね４、リール２のロック状態を解除するためのリリースパッド５、下ハーフ１Ａ及び上ハーフ１Ｂに跨ってカートリッジケース１に形成された磁気テープ引出口１Ｃを開閉するスライドドア６、スライドドア６を磁気テープ引出口１Ｃの閉位置に付勢するコイルばね７、誤消去防止爪８、カートリッジメモリ９等を組み込んで構成されている。
【００１６】
図２に示すように、カートリッジメモリ９はループアンテナ（アンテナ）９ｂとＩＣチップ９ｃとが配線９ｅによって電気的に接続されるように構成されている。このカートリッジメモリ９には、製造者や製造番号等の記録媒体カートリッジ１の製造情報や、使用者や使用日時等の記録媒体カートリッジ１の使用履歴情報等が記録されている。
【００１７】
ループアンテナ９ｂは、ＩＣチップ９ｃと電気的に接続されてＩＣチップ９ｃに電源を供給する機能とデータを通信する機能を有する。
ループアンテナ９ｂは、カートリッジケース１の上ハーフ１Ｂの外表面に印刷して形成される。ループアンテナ９ｂの形成には、合成樹脂製のカートリッジケース１に導電インキで印刷してこれを硬化させるなどの手法（導電ペースト）が用いられる。ここで、導電ペーストの主成分には、フェノール樹脂、エポキシ樹脂、メラミン樹脂等を用いた熱硬化性樹脂、アクリル樹脂、ブチラール樹脂、ポリエステル樹脂等を用いた熱可塑性樹脂、又はこれらと有機溶剤の混合系などが用いられている。ちなみに、ループアンテナ９ｂは、カートリッジケース１の内部に収納されるＩＣチップ９ｃと、カートリッジケース１の内外で互いに対応するような位置に配置すると接続するのに都合がよい。
【００１８】
ＩＣチップ９ｃは、樹脂製の基板９ａ上において、樹脂からなる封止剤であるグローブトップ９ｄ内に封止され保護されている。
ＩＣチップ９ｃはカートリッジケース１の外表面に導電ペーストにより形成されたループアンテナ９ｂと、配線９ｅにより電気的に接続されている。ＩＣチップ９ｃは磁気テープカートリッジＭＣの外部からループアンテナ９ｂに電磁波を伝播させることにより、磁気テープカートリッジＭＣの外部とデータの授受を行う。また、ＩＣチップ９ｃを駆動する電源も前記電磁波を伝播させることにより、磁気テープカートリッジＭＣの外部から供給される。
なお、ＩＣチップ９ｃは、磁気テープＭＴの走行に支障をきたすことが無いように、カートリッジケース１の下ハーフ１Ａの隅に配置されている（図２参照）。
【００１９】
以上によれば、第１の実施の形態において、次のような効果を得ることができる。
カートリッジメモリ９においてＩＣチップ９ｃとループアンテナ９ｂが別々に構成され、アンテナ９ｂがカートリッジケース１に印刷されていることから、これらを従来一つの基板上に配置していたカートリッジメモリでは配置できなかったようなスペースに、ＩＣチップを配置することができる。したがって、カートリッジケース１内のＩＣチップの配置場所に自由度をもたせることができる。
【００２０】
また、ループアンテナ９ｂは、カートリッジケース１に印刷されているので、その配置スペースを考慮する必要がない。よって、ループアンテナ９ｂの巻き数を増やしたり、アンテナ自体を大きく形成できるため、供給電源を大きくして、大容量のメモリ構成を実現することができる。
【００２１】
さらに、ループアンテナ９ｂは、カートリッジケース１の外表面に印刷されているので、印刷作業を容易にすることができる。そのため、記録媒体カートリッジの組立工程を単純化することができ、生産性にも優れる。加えて、ループアンテナ９ｂはカートリッジケース１の外表面で電磁波を伝播されるため、その電磁波の方向を気にせず配置できる。
【００２２】
〔第２の実施の形態〕
次に、本発明の変形例について説明する。なお、以下の説明において、前記した第１の実施の形態と同一の部分については、同じ符号を付してその詳細な説明を省略する。図３は、第２の実施の形態に係る磁気テープカートリッジの要部を示す斜視図である。
【００２３】
図３に示すように、カートリッジメモリ９Ａはループアンテナ（アンテナ）９ｂとＩＣチップ９ｃとが配線９ｅによって電気的に接続されるように構成され、磁気テープカートリッジＭＣに取り付けられる。
【００２４】
ループアンテナ９ｂは、合成樹脂製の基板９ｆ上に導電ペーストにより印刷されて形成される。導電ペーストについては、前記した手法と同一の方法による。
そしてループアンテナ９ｂは、電磁波を伝播するのに都合がよいようにカートリッジケース１の下ハーフ１Ａのある一隅に配置される。
【００２５】
ＩＣチップ９ｃは、樹脂製の基板９ａ上において、樹脂からなる封止剤であるグローブトップ９ｄ内に封止され保護されている。
ＩＣチップ９ｃはカートリッジケース１の外表面に導電ペーストにより形成されたループアンテナ９ｂと、配線９ｅにより電気的に接続され、ループアンテナ９ｂが配置されているのとは異なる隅に配置される。
なお、このように配置されたＩＣチップ９ｃ及びループアンテナ９ｂは、磁気テープＭＴの走行に支障をきたすことが無い。
【００２６】
以上によれば、第２の実施の形態において、次のような効果を得ることができる。
カートリッジメモリ９Ａにおいてループアンテナ９ｂとＩＣチップ９ｃが別々に構成されていることから、これらを従来一つの基板上に配置していたカートリッジメモリでは配置できなかったようなスペースに、それぞれ別々に配置することができる。したがって、カートリッジケース１内のＩＣチップとアンテナの配置場所に自由度をもたせることができる。その上、カートリッジメモリ９Ａを複数のループアンテナ９ｂ又はＩＣチップ９ｃでも構成できる。
【００２７】
また、ループアンテナ９ｂ及びＩＣチップ９ｃはそれぞれ別々に構成されていることから、それぞれ従来のカートリッジメモリの大きさより小さく形成することができる。そのため、収納スペースに合わせて、ループアンテナ９ｂ又はＩＣチップ９ｃ自体を大きくできるため、供給電源を大きくするなどして、大容量のメモリ構成を実現することができる。
【００２８】
以上、本発明の実施の形態について説明したが、本発明はこのような実施例にのみ限定されるものではなく、本発明の技術的思想に基づく限りにおいて、種々の変形が可能である。
【００２９】
前記実施の形態では、カートリッジケース１の上ハーフ１Ｂの外表面にループアンテナ９ｂを印刷する構成としたが、本発明はこれに限定されず、例えば下ハーフ１Ａの外表面に印刷する場合であっても本発明の効果が得られる。ちなみに、下ハーフ１Ａに印刷した場合には、ループアンテナを保護すべくオーバーコートするとよい。
【００３０】
また、ループアンテナを印刷するのは、カートリッジケース１の外表面に限定されず、内表面、又は内外の側面のいずれであってもよい。このように配置に自由度を持たせることにより、電磁波伝播にもっとも都合のよい位置を選択できる。
【００３１】
なお、ＩＣチップ、ループアンテナの形状、大きさ、配置は適宜変更可能であることはいうまでもなく、磁気テープカートリッジＭＣの内部の磁気テープＭＴの動きに支障をきたさなければどのようなものでも同様の効果を得ることができる。
【００３２】
また、本実施の形態では、本発明に磁気テープカートリッジに適用した場合を想定しているが、磁気に限らず光記録のテープに適用することもできる。また、記録媒体はテープに限らず、ディスクの場合も適用することができる。
【００３３】
【発明の効果】
請求項１に記載の発明によれば、カートリッジメモリにおいてＩＣチップとアンテナを別々に構成することにより、カートリッジケース内のＩＣチップとアンテナの配置場所に自由度をもたせることができる。また、配置場所によってはアンテナを大きくすることができるため、供給電源を大きくして、大容量のメモリ構成を実現することができる。
【００３４】
請求項２に記載の発明によれば、アンテナが導電ペーストにより印刷されてなるものであることから、従来のようにカートリッジメモリの基板上に形成する必要はない。そのため、アンテナを大きく構成することができ、より一層の大容量のメモリ構成を実現することができる。
【００３５】
請求項３に記載の発明によれば、前記アンテナは、前記カートリッジケースの表面に印刷されることから、印刷作業を容易にすることができる。そのため、記録媒体カートリッジの組立工程を単純化することができ、生産効率に優れる。
【図面の簡単な説明】
【図１】本実施の形態に係る磁気テープカートリッジの構成を示す分解斜視図である。
【図２】第１の実施の形態に係るカートリッジメモリがカートリッジケースに取り付けられた状態を示す斜視図である。
【図３】第２の実施の形態に係るカートリッジメモリがカートリッジケースに取り付けられた状態を示す斜視図である。
【図４】（ａ）は、従来のカートリッジメモリがカートリッジケースに取り付けられた状態を示す斜視図であり、（ｂ）は、従来のカートリッジメモリの外観を示す斜視図である。
【符号の説明】
１　　　　　カートリッジケース
１Ａ　　　　下ハーフ
１Ｂ　　　　上ハーフ
９，９Ａ　　カートリッジメモリ
９ａ，９ｆ　基板
９ｂ　　　　ループアンテナ
９ｃ　　　　ＩＣチップ
９ｄ　　　　グローブトップ
９ｅ　　　　配線
ＭＴ　　　　磁気テープ
ＭＣ　　　　磁気テープカートリッジ
【図１】
2004095093.tif 000003
【図２】
2004095093.tif 000004
【図３】
2004095093.tif 000005
【図４】
2004095093.tif 000006